(57)【特許請求の範囲】
【請求項１】
根太上に床板を設置し、この床板と前記根太とに囲まれる空間に温水管を埋設した伝熱パネルを配置するとともに、同伝熱パネルの下部に断熱材を設け、熱源器により生成された温水を往き管および戻り管を介して前記温水管に循環させるようにしてなる温水床暖房装置において、前記伝熱パネルと断熱材間に蓄熱パネルを敷設し、前記往き管と戻り管に温水の流れを制御する制御弁を設けるとともに、前記往き管の制御弁と前記温水管の入口間に通気弁を設け、かつ、前記戻り管の制御弁と並列に温水回収ポンプを備えたバイパス管を設け、床暖房運転の停止後、前記両制御弁により往き管と戻り管の温水の流れを制止し、前記温水回収ポンプを所定時間運転して前記伝熱パネルの温水管を空にし、前記通気弁から空気を導入するようにしてなることを特徴とする温水床暖房装置。
【請求項２】
前記熱源器に温水を生成するボイラと、同ボイラにより加熱生成された温水を貯えるタンクと、同タンクに貯えられた温水を前記伝熱パネルに循環させる温水循環ポンプと、同温水循環ポンプと前記ボイラを制御する制御部とを備えた温水ボイラを用い、前記制御部を室内に設けたリモートコントローラにより遠隔制御するようにしてなる請求項１記載の温水床暖房装置。
【請求項３】
前記伝熱パネルに温水管の温度を検出する温度検出手段を設け、暖房運転停止後の検出値が所定値以下になったとき、コントローラにより前記温水回収ポンプの運転を開始させ、前記温水管の温水を前記熱源器側のタンクに回収するようにしてなる請求項１記載の温水床暖房装置。
【請求項４】
前記温水管の温水を前記熱源器側のタンクに回収する際、前記ボイラにより加熱するようにしてなる請求項１〜３記載の温水床暖房装置。
【請求項５】
前記リモートコントローラに前記両制御弁と前記温水回収ポンプを対象にした制御機能を付加してなる請求項１および２記載の温水床暖房装置。
【請求項６】
前記温水回収ポンプを床下に設けてなる請求項１記載の温水床暖房装置。
【発明の詳細な説明】
【０００１】
【発明の属する技術分野】
本発明は温水を利用する床暖房装置に関する。
【０００２】
【従来の技術】
温水を利用する床暖房装置としては、図４に示すように、根太３１の上に床板３２を設置し、この床板３２と根太３１で囲まれる空間に温水管３３を埋設した伝熱パネル３４を配置するとともに、この伝熱パネル３４の下部に断熱材３５を設け、図５に示すように、熱源器３６により生成された温水を往き管３７と、途中に温水の流れを制御する制御弁３８を設けた戻り管３９を介して温水管３３に循環させるようになっている。熱源器３６には温水を生成するボイラ４０と、このボイラ４０により加熱生成された温水を貯えるタンク４１と、このタンク４１に貯えられた温水を伝熱パネル３４側に循環させる温水循環ポンプ４２と、この温水循環ポンプ４２およびボイラ４０を制御する制御部４３等で構成され、屋外に設置される温水ボイラが利用され、この温水ボイラ（熱源器）３６は室内に設けたリモートコントローラ４４により遠隔制御するようになっている。なお、伝熱パネル３４には戻りの温水温度を間接的に検出する温度検出手段４５が設けられ、その検出値はコントローラ４６に入力され、コントローラ４６は温水温度に対応して制御弁３８をゆっくりと開閉制御し、温水の流れを調節して床面を適温に保つようになっている。
【０００３】
【発明が解決しようとする課題】
しかしながら、上述のような温水床暖房装置においては、伝熱パネル３４側の熱損失が大きく、暖房運転停止後の保温力および暖房の立ち上がりに問題がある。したがって、本発明においては、これらの問題点を解決した温水床暖房装置を提供することを目的としている。
【０００４】
【課題を解決するための手段】
本発明は上記の課題を解決するためになされたものであり、根太上に床板を設置し、この床板と前記根太とに囲まれる空間に温水管を埋設した伝熱パネルを配置するとともに、同伝熱パネルの下部に断熱材を設け、熱源器により生成された温水を往き管および戻り管を介して前記温水管に循環させるようにしてなる温水床暖房装置において、
前記伝熱パネルと断熱材間に蓄熱パネルを敷設し、前記往き管と戻り管に温水の流れを制御する制御弁を設けるとともに、前記往き管の制御弁と前記温水管の入口間に通気弁を設け、かつ、前記戻り管の制御弁と並列に温水回収ポンプを備えたバイパス管を設け、床暖房運転の停止後、前記両制御弁により往き管と戻り管の温水の流れを制止し、前記温水回収ポンプを所定時間運転して前記伝熱パネルの温水管を空にし、前記通気弁から空気を導入するようにした。
【０００５】
また、前記熱源器に温水を生成するボイラと、同ボイラにより加熱生成された温水を貯えるタンクと、同タンクに貯えられた温水を前記伝熱パネルに循環させる温水循環ポンプと、同温水循環ポンプと前記ボイラを制御する制御部とを備えた温水ボイラを用い、前記制御部を室内に設けたリモートコントローラにより遠隔制御するようにした。
【０００６】
また、前記伝熱パネルに温水管の温度を検出する温度検出手段を設け、暖房運転停止後の検出値が所定値以下になったとき、コントローラにより前記温水回収ポンプの運転を開始させ、前記温水管の温水を前記熱源器側のタンクに回収するようにした。
【０００７】
また、前記温水管の温水を前記熱源器側のタンクに回収する際、前記ボイラにより加熱するようにした。
【０００８】
また、前記リモートコントローラに前記両制御弁と前記温水回収ポンプを対象にした制御機能を付加することにした。
【０００９】
【発明の実施の形態】
本発明による温水床暖房装置では、根太上に床板を設置し、この床板と根太とに囲まれる空間に温水管を埋設した伝熱パネルを配置し、この伝熱パネルと下部の断熱材との間に蓄熱パネルを敷設し、温水ボイラを利用した熱源器と伝熱パネルに埋設された温水管とを繋ぐ往き管と戻り管に温水の流れを制御する制御弁を設けるとともに、往き管の制御弁と前記温水管の入口間に通気弁を設け、かつ、戻り管の開閉弁と並列に温水回収ポンプを備えたバイパス管を設け、また、前記伝熱パネルに温水管の温度を検出する温度検出手段を設け、床暖房運転が停止されるとコントローラにより往き管と戻り管の両制御弁を制御して温水の流れを制止する一方、温水管の温度を検出し、その検出値が所定値以下になったときバイパス管に設けた温水回収ポンプを所定時間運転して温水管の温水を熱源器内のタンクに回収し、空になった温水管に前記通気弁から空気を導入し、伝熱パネルを断熱材として機能させるよう構成しているので蓄熱パネルの熱損失（放熱）をより少なくすることができ、床暖房運転を再開したとき、その立ち上がりを短縮することができる。なお、温水管の温水を熱源器側のタンクに回収する際、その温水をボイラにより加熱するようにしているのでタンク内の温水温度の低下を防止することができる。
【００１０】
【実施例】
以下、本発明の実施例を図１〜図３に基づいて説明する。図１は温水床暖房装置の全体構成を示したもので、１は温水ボイラを利用した熱源器、２は温水の往き管、３は温水管４を埋設してなる伝熱パネル、５は温水の戻り管である。温水ボイラ（熱源器）１は温水を生成するボイラ６と、このボイラ６により加熱生成された温水を貯えるタンク７と、このタンク７に貯えられた温水を伝熱パネル３に埋設されている温水管４に循環させる温水循環ポンプ８と、この温水循環ポンプ８およびボイラ６を制御する制御部９等で構成されており、室内に設けたリモートコントローラ１０により遠隔制御するようになっている。
【００１１】
また、温水の往き管２には温水の流れを制御する制御弁１１と通気弁１２が設けられ、戻り管５には往き管２に設けられたものと同機能を有する制御弁１３と、この制御弁１３と並列に温水回収ポンプ１４を備えたバイパス管１５が設けられている。一方、伝熱パネル３には温水管４の出口側の温度を検出する温度検出手段１６が設けられ、この検出信号（温度情報）は制御弁１１、１３および温水回収ポンプ１４を制御するコントローラ１７に入力するようになっている。なお、温水ボイラ（熱源器）１を遠隔操作するリモートコントローラ１０と、制御弁１１、１３および温水回収ポンプ１４を制御するコントローラ１７は説明の都合上別々に示されているが、このような構成に限定することなく、例えばリモートコントローラ１０側の一つのマイクロコンピュータで全体を制御処理するようにしてもよい。
【００１２】
図２は伝熱パネル３等の設置状態を側面から示したもので、１８は横引き（下材ともいう）１９の上に所定の間隔で設けられた根太、２０はその上に設けられた床板である。温水管４を埋設してなる伝熱パネル３は床板２０と根太１８で囲まれた空間の上部に配置され、この伝熱パネル３の下部には蓄熱パネル２１が敷設され、この蓄熱パネル２１の下部には横引き１９の下部に固定された複数の係止具１９ａにより断熱材２２が取付けられている。なお、図１に示す温水回収ポンプ１４は伝熱パネル３よりも低位置の床下に設けられている。
【００１３】
ところで、本実施例においては、このように構成された温水床暖房装置において、床暖房運転が停止されると、その情報が熱源器１側のリモートコントローラ１０から伝熱パネル３側のコントローラ１７に伝達されるようになっており、コントローラ１７側ではこの情報を得ると制御弁１１、１３を制御して往き管２と戻り管５をゆっくり閉じるとともに、温度検出手段１６により検出される温水管４の温度を入力し、その温度が所定値（例えば４０℃）以下になるとバイパス管１５に設けられている温水回収ポンプ１４を所定時間運転し、温水管４とこれに繋がる往き管２および戻り管５の温水を熱源器１内のタンク７に回収し、通気弁１２から空気を導入するようになっている。なお、温水管４等からタンク７に温水が回収されるときその温水はボイラ６により加熱されるようになっている。
【００１４】
図３はもう一つの実施例を示したもので、図１に示すものとの相違点は温水の戻り管５に温水の流れを切り換える切換弁２３を設けるとともに、その切換弁２３の一方の出口と、もう一つの出口に接続された熱源器１への戻り管５との間にタンク２４と温水回収ポンプ１４とを直列に設けておき、床暖房運転が停止されたとき、リモートコントローラ１０により切換弁２３を切り換えて温水管４の温水をタンク２４に流下させ、床暖房運転が再開される時に温水回収ポンプ１４とボイラ６を制御してタンク２４内の温水を熱源器１内のタンク７に戻し、しかる後に切換弁２３を床暖房運転が可能な状態に切り換えるとともに、往き管２に設けられている制御弁１１を徐々に開放しながら温水循環ポンプ８を動作させ、床暖房運転を再開させるようにしたものである。
【００１５】
【発明の効果】
以上説明したような温水床暖房装置であれば、運転中および運転停止後の熱損失が少なく、運転停止後に床面の温度が急速に低下するようなことがなく、また床暖房運転を再開したときその立ち上がりが早く、床面を速やかに快適な温度にすることができる。
【図面の簡単な説明】
【図１】本発明の一実施例を示す温水床暖房装置の全体構成図である。
【図２】本発明の温水床暖房装置の設置状態を示す側面図である。
【図３】本発明のもう一つの実施例を示す温水床暖房装置の全体構成図である。
【図４】従来の温水床暖房装置の設置状態を示す側面図である。
【図５】従来の温水床暖房装置の全体構成図である。
【符号の説明】
１  熱源器（温水ボイラ）
２  往き管
３  伝熱パネル
４  温水管
５  戻り管
６  ボイラ
７  タンク
８  温水循環ポンプ
９  制御部
１０  リモートコントローラ
１１  制御弁
１２  通気弁
１３  制御弁
１４  温水回収ポンプ
１５  バイパス管
１６  リモートコントローラ
１７  温度検出手段
１８  根太
１９  横引き（下材）
２０  床板
２１  蓄熱パネル
２２  断熱材
２３  切換弁
２４  タンク
【図１】
0003613299.tif 000002
【図２】
0003613299.tif 000003
【図３】
0003613299.tif 000004
【図４】
0003613299.tif 000005
【図５】
0003613299.tif 000006